(57)【特許請求の範囲】
【請求項１】
デジタル通信回線に接続されており、デジタル通信回線を介してアナログ機器にデータを送信可能な通信装置であって、
データ変換手段とフォーマット変換手段とを備え、
データ変換手段は、デジタル元データＤ１形式のデータが入力されると、デジタル通信回線を介して接続されたアナログ機器に入力される音声帯域内でアナログ変調されたアナログ波形に相当するデジタルデータＤ１ａ形式のデータに変換してフォーマット変換手段に出力し、
フォーマット変換手段は、デジタルデータＤ１ａ形式のデータが入力されると、入力されたデジタルデータＤ１ａ形式のデータをデジタル通信回線で伝送可能なデジタルフォーマットデータＤ３形式のデータに変換する、
ことを特徴とする通信装置。
【請求項２】
請求項１に記載の通信装置であって、
通信装置は、更に、デジタル通信回線を介してアナログ機器からのデータを受信することが可能であり、
フォーマット変換手段は、更に、デジタル通信回線からデジタルフォーマットデータＤ３形式のデータを受信すると、受信したデジタルフォーマットデータＤ３形式のデータをデータ変換手段にて変換可能なデジタルデータＤ１ａ形式のデータに変換してデータ変換手段に出力し、
データ変換手段は、更に、デジタルデータＤ１ａ形式のデータが入力されると、入力されたデジタルデータＤ１ａ形式のデータをデジタル元データＤ１形式のデータに変換する、
ことを特徴とする通信装置。
【発明の詳細な説明】
【０００１】
【発明の属する技術分野】
本発明は、デジタル通信回線を介してアナログ機器と通信することが可能な通信装置に関する。
【０００２】
【従来の技術】
従来、ＩＳＤＮ等のデジタル通信回線を介してアナログ機器と通信することが可能な通信装置の例として、図４に示すように構成されたものがある。
この従来の通信装置１Ａは、タ−ミナルアダプタ２Ａを装備したパ−ソナルコンピュ−タ３Ａで構成されている。通信装置１Ａには、パ−ソナルコンピュ−タ３ＡのＣＰＵと接続されるホストコンピュ−タインタ−フェ−ス回路４Ａと、ホストコンピュ−タインタ−フェ−ス回路４Ａを介してパ−ソナルコンピュ−タ３Ａから送られた通信用のデジタル元デ−タＤ１をＩＳＤＮフォ−マットデ−タＤ２に変換するデジタルデ−タフォ−マット変換回路５Ａと、パ−ソナルコンピュ−タ３ＡからＲＳ２３２Ｃコネクタ６Ａを介して送出された前記デジタル元デ−タＤ１をアナログ信号Ａに変換するモデム７Ａと、タ−ミナルアダプタ２Ａに設けられたアナログポ−ト８Ａを介して入力されたアナログ信号Ａをデジタルデ−タに変換するアナログデジタル変換回路９Ａと、このアナログデジタル変換回路９Ａからのデジタルデ−タをＩＳＤＮフォ−マットデ−タＤ３に変換するデジタルデ−タフォ−マット変換回路１０Ａと、通信相手側の端末装置がデジタル機器である場合にデジタルデ−タフォ−マット変換回路５Ａ側に接続する一方、通信相手側の端末装置がアナログ機器である場合にはデジタルデ−タフォ−マット変換回路１０Ａ側に接続することによりＩＳＤＮフォ−マットデ−タＤ２又はＤ３を選択するスイッチ回路１１Ａと、デジタル通信回線ＤＮと接続され、上記スイッチ回路１１Ａにより選択されたＩＳＤＮフォ−マットデ−タＤ２，Ｄ３をデジタル通信回線ＤＮに送出するデジタル回線インタ−フェ−ス回路１２Ａとが設けられている。
尚、上記スイッチ回路１１Ａは、送信時には、パ−ソナルコンピュ−タ３Ａのキ−ボ−ドのキ−操作によって切り替え操作される一方、受信時には、ＩＳＤＮフォ−マットデ−タＤ２，Ｄ３を判別するデジタル回線インタ−フェ−ス回路１２Ａにより切り替え操作される。
【０００３】
このように構成された従来の通信装置１Ａから通信相手側のアナログ機器端末装置に通信要求を出すときの動作フロ−を図５に示している。以下この動作について説明する。
（１）通信する相手先を決定する。
（２）通信するデ−タ、即ち前述のデジタル元デ−タＤ１を準備する。
（３）スイッチ回路１１Ａがデジタル回線インタ−フェ−ス回路１２Ａとデジタルデ−タフォ−マット変換回路１０Ａを接続するようにキ−ボ−ドを操作する。即ちデジタル回線インタ−フェ−ス回路１２Ａからデジタル通信回線ＤＮにＩＳＤＮフォ−マットデ−タＤ３が送出されるようにキ−ボ−ドを操作する。
（４）モデム７Ａから通信相手先に接続要求を出す。
（５）デジタル通信回線ＤＮの図示していない交換機により通信相手先と接続され、通信相手先が応答することにより接続が完了し、その接続完了通知をパ−ソナルコンピュ−タ３Ａに送る。
（６）パ−ソナルコンピュ−タ３Ａから、予め準備された前述のデジタル元デ−タＤ１をモデム７Ａに送出する。
（７）モデム７Ａ内で、デジタル元デ−タＤ１をアナログ信号Ａに変換する。
（８）上記アナログ信号Ａは、アナログデジタル変換回路９Ａと、デジタルデ−タフォ−マット変換回路１０Ａとを通り、デジタルデ−タＤ３となる。
（９）上記デジタルデ−タＤ３は、デジタル回線インタ−フェ−ス回路１２Ａからデジタル通信回線ＤＮに送出される。
【０００４】
一方、本通信装置１Ａがデジタル通信回線ＤＮを介して通信相手先からのデジタルフォ−マットデ−タＤ３を受信した場合には、上記と逆の順序動作でデジタル元デ−タＤ１に変換されたうえ、パ−ソナルコンピュ−タ３Ａに格納される。
【０００５】
次に、相手側アナログ機器から通信要求がある場合について、図６の動作フロ−を参照しながら説明する。
（１）相手側アナログ機器からデジタルフォ−マットデ−タＤ３にて呼びかけがくる。
（２）呼びかけフォ−マットがデジタルフォ−マットデ−タＤ３であるため、スイッチ回路１１Ａがデジタル回線インタ−フェ−ス回路１２Ａとデジタルデ−タフォ−マット変換回路１０Ａとを接続する。即ち、デジタル回線インタ−フェ−ス回路１２Ａは、デジタルフォ−マットデ−タＤ３に含まれる識別子でアナログ機器からの呼出であると判断し、スイッチ回路１１Ａをデジタルデ−タフォ−マット変換回路１０Ａ側に切り替える。
（３）アナログデジタル変換回路９Ａは上記デジタルフォ−マットデ−タＤ３をアナログ信号Ａに変換したうえ、モデム７Ａに呼出を通知する。
（４）モデム７Ａは、呼出があることをパ−ソナルコンピュ−タ３Ａに伝え、パ−ソナルコンピュ−タ３Ａは接続に応じることをモデム７Ａに伝える。
（５）モデム７Ａとパ−ソナルコンピュ−タ３Ａが接続される。
（６）モデム７Ａは、パ−ソナルコンピュ−タ３Ａにアナログ通信接続完了通知を送る。
（７）デ−タの通信が開始される。
【０００６】
【発明が解決しようとする課題】
前記デジタル通信回線ＤＮにはアナログ機器も多数接続されており、そのアナログ機器と通信するためには送り手の機器もアナログ通信機能を有する必要がある。このアナログ通信機能として前述のように、モデム７Ａや、アナログポ−ト８Ａを設けたタ−ミナルアダプタ２Ａなどが必要となる。モデム７Ａは、アナログ通信規格が更新される毎に買い換えたり追加購入する必要があるため、ユ−ザ−のコスト負担が大きく、且つモデム７Ａは小さなものでないため、机上の専有面積が増えるという問題がある。
そこで本発明では、モデムやアナログデジタル変換回路などのアナログ通信機能をパ−ソナルコンピュ−タのＣＰＵで実現することによって、モデム７Ａやアナログデジタル変換回路などを使用することなく、且つ容易に通信機能の変更をすることができる安価な通信装置を提供することを解決すべき課題とするものである。
【０００７】
【課題を解決するための手段】
上記課題を解決するため、本発明では、通信装置を、通信用のデジタル元デ−タＤ１を音声帯域内のアナログ変調した波形を量子化することにより前記デジタル元デ−タＤ１をデジタルデ−タＤ１ａに変換するデ−タ変換手段と、前記デジタルデ−タＤ１ａをデジタル通信回線で伝送可能なデジタルフォ−マットデ−タＤ３に変換するフォ−マット変換手段とを備えた構成にすることである。
【０００８】
上記構成の通信装置によれば、デ−タ変換手段は、通信用のデジタル元デ−タＤ１を音声帯域内のアナログ変調した波形を量子化することにより前記デジタル元デ−タＤ１をデジタルデ−タＤ１ａに変換するため、フォ−マット変換手段はこのデジタルデ−タＤ１ａをデジタル通信回線で伝送可能なフォ−マットデ−タＤ３に変換した状態でデジタル回線インタ−フェ−ス回路を介してデジタル通信回線に送出する。
【０００９】
【発明の実施の形態】
次に、本発明の実施の形態について説明する。
図１は、通信装置１のブロック図である。
図１に示すように、通信装置１は、タ−ミナルアダプタ２を装備したパ−ソナルコンピュ−タ３で構成されている。このタ−ミナルアダプタ２には、パ−ソナルコンピュ−タ３のＣＰＵと接続されるホストコンピュ−タインタ−フェ−ス回路４と、デジタル通信回線ＤＮと接続されるデジタル回線インタ−フェ−ス回路５と、デジタルデ−タフォ−マット変換手段６とが設けられている。
【００１０】
また、上記パ−ソナルコンピュ−タ３のＣＰＵは、アナログ／デジタル変換、及びデジタル／アナログ変換ソフトウエアエンジン機能を有し、その変換ソフトウエアの流れは次のようになっている。
即ち、通信相手先がアナログ機器の場合、パ−ソナルコンピュ−タ３により作成されたデジタル元デ−タＤ１は、音声帯域内のアナログ変調をかける必要があるため、最初、デジタル元デ−タＤ１を音声帯域内のアナログ変調したときの波形をイメ−ジし、その波形を量子化、即ちデジタル化することによりデジタル元デ−タＤ１をデジタルデ−タＤ１ａに変換する。そしてこのデジタルデ−タＤ１ａはデジタルデ−タフォ−マット変換手段６に送られる。一方、通信相手先がデジタル機器である場合、パ−ソナルコンピュ−タ３により作成されたデジタル元デ−タＤ１は、そのままデジタルデ−タフォ−マット変換手段６に送られる。
【００１１】
このデジタルデ−タフォ−マット変換手段６は、通信相手先がアナログ機器の場合、前述のデジタルデ−タＤ１ａをＩＳＤＮフォ−マットデ−タＤ３に変換したあと、このデ−タＤ３をデジタル回線インタ−フェ−ス回路５に送る。一方、通信相手先がデジタル機器であればパ−ソナルコンピュ−タ３により作成されたデジタル元デ−タＤ１を、ＩＳＤＮフォ−マットデ−タＤ２に変換したあと、デジタル回線インタ−フェ−ス回路５に送る。そして、デ−タＤ２，Ｄ３は、このデジタル回線インタ−フェ−ス回路５からデジタル通信回線ＤＮに送出される。
【００１２】
次に、通信装置１から相手側のアナログ機器通信装置に通信要求を出すときの動作フロ−を図２を参照しながら説明する。
（１）通信する相手先を決定する。
（２）通信するデ−タ、即ち前述のデジタル元デ−タＤ１を準備したうえ、アナログ／デジタル、及びデジタル／アナログ変換ソフトウエアエンジンの起動準備をする。
（３）デジタルデ−タフォ−マット変換手段６を、前述のデジタルデ−タＤ１ａから、ＩＳＤＮフォ−マットデ−タＤ３への変換に設定する。
（４）相手側のアナログ機器通信装置に接続要求を出す。
（５）相手側のアナログ機器通信装置が応答すると、接続が完了し、接続完了通知がパ−ソナルコンピュ−タ３に送られてくる。
（６）パ−ソナルコンピュ−タ３内部でデジタル元デ−タＤ１を前述のデジタルデ−タＤ１ａに変換する。
（７）上記のデジタルデ−タＤ１ａをデジタルデ−タフォ−マット変換手段６に送る。
（８）デジタルデ−タフォ−マット変換手段６は、デジタルデ−タＤ１ａをＩＳＤＮフォ−マットデ−タＤ３に変換し、デジタル回線インタ−フェ−ス回路５に送る。
（９）上記フォ−マットデ−タＤ３は、デジタル回線インタ−フェ−ス回路５からデジタル通信回線ＤＮに送出される。
【００１３】
尚、この通信装置１がデジタル通信回線ＤＮからＩＳＤＮフォ−マットデ−タＤ３を受信した場合、上記と逆の経路を経て通信用のデジタル元デ−タＤ１に変換され、パ−ソナルコンピュ−タ３に格納される。
【００１４】
次に、相手側アナログ機器から、この通信装置１に通信要求がある場合について、図３の動作フロ−を参照しながら説明する。
（１）相手側アナログ機器からデジタルフォ−マットデ−タＤ３にて呼びかけがくる。
（２）デジタル回線インタ−フェ−ス回路５は、デジタルフォ−マットデ−タＤ３を受信したことを判別してデジタルデ−タフォ−マット変換手段６がデジタルフォ−マットデ−タＤ３を、前述のデジタルデ−タＤ１ａに変換するように設定する。
（３）パ−ソナルコンピュ−タ３で、デジタルデ−タＤ１ａをデ−タＤ１に変換して、相手側アナログ機器から呼出があったことを判断する。
（４）パ−ソナルコンピュ−タ３は、呼出に応じる。
（５）接続が完了する。
（６）デ−タ通信を開始する。
【００１５】
以上のように、この通信装置１は、従来の通信装置１Ａに装備されていたＡ／Ｄ変換回路、アナログポ−ト、モデムなどの機能をパ−ソナルコンピュ−タ３で行うことができる。
【００１６】
【発明の効果】
本発明では、通信用のデジタル元デ−タＤ１が、デ−タ変換手段により音声帯域内のアナログ変調波形に基づいて量子化されたデジタルデ−タＤ１ａに変換されると、フォ−マット変換手段はデジタルデ−タＤ１ａをデジタル通信回線で伝送可能なフォ−マットＤ３に変換し、デジタル回線インタ−フェ−ス回路を介してデジタル通信回線に送出することができるため、従来の通信装置で必要とされたＡ／Ｄ変換回路、アナログポ−ト、モデムなどを必要としないことから安価で専有面積の小さな通信装置を提供することができるという効果がある。
また、通信機能の変更にも容易に対処することができる。
【図面の簡単な説明】
【図１】本発明の実施の形態の通信端末装置のブロック図である。
【図２】図１の通信装置の動作フロ−図である。
【図３】図１の通信装置の動作フロ−図である。
【図４】従来の通信装置のブロック図である。
【図５】図４の通信装置の動作フロ−図である。
【図６】図４の通信装置の動作フロ−図である。
【符号の説明】
１                通信装置
２                タ−ミナルアダプタ
３                パ−ソナルコンピュ−タ
４                ホストコンピュ−タインタ−フェ−ス回路
５                デジタル回線インタ−フェ−ス回路
６                デジタルデ−タフォ−マット変換手段
ＤＮ              デジタル通信回線
【図１】
0003586508.tif 000002
【図２】
0003586508.tif 000003
【図３】
0003586508.tif 000004
【図４】
0003586508.tif 000005
【図５】
0003586508.tif 000006
【図６】
0003586508.tif 000007